(57)【特許請求の範囲】
【請求項１】
電動ギャッジベッドにおいて、電動ギャッジベッドフレーム(５)内側に設けた中央部焦電センサ取付土台(１８ａ、１８ｂ)、あるいはベッドフレーム(２２)内側に設けたコーナー部焦電センサ取付土台(１９ａ、１９ｂ)に、周囲と温度差のある物体の移動量の変化を感知する焦電センサ（７ａ、７ｂ、７ｃ、７ｄ）を、該焦電センサ（７ａ、７ｂ、７ｃ、７ｄ）の検知範囲をボトム平面に対して水平方向のみを感知するように配置し、該焦電センサー(7a、7b、7c、7d)の感知信号により、熱量を持った人体の侵入を感知し、電動ギャッジベッドの床部起伏機構の作動を停止又は逆動作の制御を行う危険回避制御ユニット（１）を有することを特徴とする電動ギャッジベッドの挟み込み防止装置。  
【発明の詳細な説明】
【技術分野】
【０００１】
本発明は電動ギャッジベッドにおける危険回避の為の挟み込み防止技術に関するものである。
【背景技術】
【０００２】
従来の電動ギャッジベッドの挟み込み防止装置は、特開平９−０９４２７２号のように電動ギャッジベッドの床部下面に弾力性のあるチューブを配設し、音圧の変化を検出することにより、床部下面に身体が挟み込まれたことを確認し、床部起伏機構を停止させるものはあった。
【０００３】
また、実公平３−０１９３７６号のように電動ギャッジベッドのフレームの床板と対応する部分に閉塞する状態で設けられた安全パネルにより、該安全パネルに荷重が加わり、該安全パネルの端部が下方へ変位することで、電動ギャッジベッドのフレームの床板が逆動作するリミットスイッチが作動することで、床部起伏機構が逆動作を行うものもあった。
【先行技術文献】
【特許文献】
【０００４】
【特許文献１】特開平９−０９４２７２号公報
【特許文献２】実公平３−０１９３７６号公報
【発明の概要】
【発明が解決しようとする課題】
【０００５】
従来の電動ギャッジベッドの挟み込み防止装置は身体が電動ギャッジ用フレームと床部の間に挟み込まれてから、停止又は逆動作を開始するものであった為、身体には相当の負荷がかかり、身体を傷つけてしまうことがあった。
【０００６】
その点を改善する為に、身体が電動ギャッジベッド用フレームと床部に挟み込まれる以前に、非接触で身体に負荷をかけることなく、挟み込みの危険を回避できるような安全装置を提供すること。
【課題を解決するための手段】
【０００７】
電動ギャッジベッドにおいて、電動ギャッジベッドフレーム(５)内側に設けた中央部焦電センサ取付土台(１８ａ、１８ｂ)、あるいはベッドフレーム(２２)内側に設けたコーナー部焦電センサ取付土台(１９ａ、１９ｂ)に、周囲と温度差のある物体の移動量の変化を感知する焦電センサ（７ａ、７ｂ、７ｃ、７ｄ）を、該焦電センサ（７ａ、７ｂ、７ｃ、７ｄ）の検知範囲をボトム平面に対して水平方向のみを感知するように配置し、該焦電センサー(7a、7b、7c、7d)の感知信号により、熱量を持った人体の侵入を感知し、電動ギャッジベッドの床部起伏機構の作動を停止又は逆動作の制御を行う危険回避制御ユニット（１）を有することを特徴とする電動ギャッジベッドの挟み込み防止装置。  
【発明の効果】
【０００９】
本発明の電動ギャッジベッドの挟み込み防止装置は、電動ギャッジベッドにおいて、電動ギャッジベッドフレーム(５)内側に設けた中央部焦電センサ取付土台(１８ａ、１８ｂ)、あるいはベッドフレーム(２２)内側に設けたコーナー部焦電センサ取付土台(１９ａ、１９ｂ)に、周囲と温度差のある物体の移動量の変化を感知する焦電センサ（７ａ、７ｂ、７ｃ、７ｄ）を、該焦電センサ（７ａ、７ｂ、７ｃ、７ｄ）の検知範囲をボトム平面に対して水平方向のみを感知するように配置し、該焦電センサー(7a、7b、7c、7d)の感知信号により、熱量を持った人体の侵入を感知し、電動ギャッジベッドの床部起伏機構の作動を停止又は逆動作の制御を行う危険回避制御ユニット（１）を有することで、電動ギャッジベッドフレーム(5)周辺での人体の移動を感知することなく、該焦電センサ（７ａ、７ｂ、７ｃ、７ｄ）が床部（６）を起伏状態から回動下降させる際に、身体が挟み込み危険領域に入り込んだ時のみ、該焦電センサ（７ａ、７ｂ、７ｃ、７ｄ）が身体の移動量の変化を感知し、焦電センサ（７ａ、７ｂ、７ｃ、７ｄ）の感知信号を危険回避制御ユニット（１）に送り、該危険回避制御ユニット（１）から直接、床部起伏機構の作動を停止又は逆動作の制御を行うことが可能な為、誤作動等を起こすことなく身体が電動ギャッジベッド用フレーム（５）と床部（６）の間に挟みこまれる以前に、身体に負荷をかけることなく、身体を挟み込みの危険から回避することが可能である。
【図面の簡単な説明】
【００１１】
【図１】実施例１を示す、一部を切り欠いて示した平面図である。
【図２】実施例１の焦電センサ（７ａ）を示した拡大斜視図である。
【図３】実施例１の焦電センサ（７ａ）の照射範囲の一部を切り欠いて示した拡大断面図であり、床部（６）を省略した図面である。
【図４】実施例１の焦電センサ（７ａ）を嵌入固定する焦電センサ取付専用ケース（１０ａ）を示した拡大斜視図である。
【図５】実施例１の焦電センサ（７ａ）を一体型樹脂ケース（１４ａ）に嵌入固定した拡大斜視図である。
【図６】実施例１における焦電センサ取付固定部を示す拡大斜視断面図であり、床部（６）を省略した図面である。
【図７】実施例１における焦電センサ取付固定部に焦電センサ（７ａ）を設置固定した際の焦電センサ（７ａ、７ｂ、７ｃ、７ｄ）の照射範囲を示した平面図である。
【図８】実施例１の簡易的なシステム構成図である。
【図９】実施例１のフローチャートである。
【図１０】実施例１の通常制御モードを示したフローチャートである。
【図１１】実施例１の危険回避制御モードを示したフローチャートである。
【図１２】実施例１の電動ギャッジベッド用リモコン（２０）の拡大図である。
【図１３】実施例２を示す、一部を切り欠いて示した平面図である。
【図１４】実施例２の焦電センサ（７ａ）の照射範囲の一部を切り欠いて示した拡大断面図であり、床部（６）を省略した図面である。
【図１５】実施例２の焦電センサ（７ａ）を分離型樹脂ケース（１５ａ）に嵌入固定した拡大斜視図である。
【図１６】実施例２における焦電センサ取付固定部を示す拡大斜視断面図であり、床部（６）を省略した図面である。
【図１７】実施例２における焦電センサ取付固定部に焦電センサ（７ａ）を設置固定した際の焦電センサ（７ａ、７ｂ、７ｃ、７ｄ）の照射範囲を示した平面図である。
【図１８】実施例３を示す、一部を切り欠いて示した平面図である。
【図１９】実施例３の焦電センサ（７ａ）の照射範囲の一部を切り欠いて示した拡大断面図であり、床部（６）を省略した図面である。
【図２０】実施例３における焦電センサ取付固定部を示す拡大斜視断面図であり、床部（６）を省略した図面である。
【図２１】実施例３における焦電センサ取付固定部に焦電センサ（７ａ）を設置固定した際の焦電センサ（７ａ、７ｂ、７ｃ、７ｄ）の照射範囲を示した平面図である。
【発明を実施するための形態】
【００１２】
以下、本発明の実施例を図面を用いて説明する。
【実施例１】
【００１３】
本実施形態の電動ギャッジベッドの挟み込み防止装置について、図１は実施例１の構成を説明するための説明図である。本実施例１は図１で示されるように、電動ギャッジベッドにおいて、周囲と温度差のある物体の移動量の変化を感知する図２のような焦電センサ（７ａ）を４個使用しており、各焦電センサ（７ａ、７ｂ、７ｃ、７ｄ）は焦電センサ用配線コード（２３a、２３ｂ、２３ｃ、２３ｄ）により、危険回避制御ユニット（１）と接続されている。また電動ギャッジベッド用リモコン（２０）は、電動ギャッジベッド用リモコン用配線コード（２４）により、危険回避制御ユニット（１）と接続されている。該電動ギャッジベッドの挟み込み防止装置として使用している焦電センサ（７a）の検出可能範囲は水平・垂直方向ともに検出範囲が９１°であり、また検出範囲は最大で２ｍ程度のものを使用している。該焦電センサ（７a）の感知角度を図３に示すように、焦電センサ（７a）を焦電センサ首部（９a）の傾斜に沿うように図４のような上方が開口した焦電センサ取付専用ケース本体（１１a）に挿入したものを、焦電センサ取付専用ケース本体（１１a）の側面に付いた爪部（１２ａ、１２ｂ）により、図３のように焦電センサ取付専用ケース本体受け部（１３a、１３ｂ）まで嵌入固定する。図５のように、両端が開口した台形形状の一体型樹脂ケース（１４ａ）の長辺側は、図３のように焦電センサ（７ａ）の定格感知範囲（３０）を遮り、制御感知範囲（２９）まで縮小させるため、ベッドフレーム（２２）よりも外側を感知しないようにし、且つ一体型樹脂ケース（１４ａ）の短辺側は、身体の挟み込みの危険性があるベッドフレーム（２２）の内側を感知させる為、焦電センサ（７ａ）の感知角度を遮らないような位置に各焦電センサ（７ａ、７ｂ、７ｃ、７ｄ）を焦電センサ取付専用ケース本体受け部（１３ａ、１３ｂ）まで嵌入固定する。焦電センサ（７ａ）を嵌入固定した一体型焦電センサ部（１６ａ）は身体の挟み込みの危険性があるベッドフレーム（２２）の内側のみを感知する為、ベッドフレーム（２２）の長手方向中央部に台形形状の一体型樹脂ケース（１４ａ）の長辺側側面を両面テープで設置固定する。設置固定方法は両面テープだけでなく、ビス等による如何なる固定方法でも構わない。図６のように設置固定することで図７のように身体の挟み込み危険領域を適切に感知することが可能で、床部（６）を起伏状態から回動下降する際に、身体が挟み込み危険領域に入り込んだ時点で、該焦電センサ（７ａ、７ｂ、７ｃ、７ｄ）が周囲と温度差のある身体の移動量の変化を感知することを可能としている。また該焦電センサ等を一体型にした為、適切に身体の挟み込み危険領域を感知することが可能な位置への位置決めも容易に行えるという利点がある。また通常の電動ギャッジベッドに該焦電センサ（７ａ、７ｂ、７ｃ、７ｄ）と危険回避制御ユニット（１）を追加接続することで、同じタイプの通常の電動ギャッジベッドを挟み込み防止タイプの電動ギャッジベッドに変更することが可能であり、コスト負担が少なくなり、経済的である。
【００１４】
次に、実施例１の回路構成に関して、図８を参照しながら説明する。通常の電動ギャッジベッドの動作は、電動ギャッジベッド用リモコン（２０）からのボタンによる入力により、入力信号が直接、電動アクチュエーター（４）に送られ、電動ギャッジベッドの動作に反映される。身体が挟み込み危険領域に入り込んだ場合は、焦電センサ（７ａ、７ｂ、７ｃ、７ｄ）の少なくとも１つ以上が温度移動変化ありと認識し、感知信号が危険回避制御ユニット（１）に送られる。危険回避制御ユニット（１）に感知信号が送られた時点で、通常の電動ギャッジベッドの動作回路を遮断し、危険回避制御ユニット（１）から危険認知の為に警告音としてブザー（２１）を鳴らし、電動ギャッジベッドの挟み込みの危険を回避する為、逆作動の命令を直接電動アクチュエーター（４）に行う。
【００１５】
次に、実施例１の動作について図９〜図１１のフローチャートを参照しながら説明する。まず、全体的なフローチャートに関しては、図９のフローチャートを参照しながら説明する。ここでは、身体が挟み込み危険領域に入り込んでいるか否かを判別している（ステップ１００）。焦電センサ（７ａ、７ｂ、７ｃ、７ｄ）が周囲と温度差のある物体の移動量の変化がないと判別した場合は、通常制御モードに移行する（ステップ１０１）。また、焦電センサ（７ａ、７ｂ、７ｃ、７ｄ）が周囲と温度差のある物体の移動量の変化がありと判別した場合は、危険回避制御モードに移行する（ステップ１０２）。通常制御モードに関しては、図１０のフローチャートを参照しながら説明する。ここでは、図１２の電動ギャッジベッド用リモコン（２０）の拡大図を参照しながら説明する。頭部上昇ボタン（２５ａ、２５ｂ）、脚部上昇ボタン（２７ａ、２７ｂ）を押すこと（ステップ２０１）で電動アクチュエーター（４）が上動作を行う（ステップ２０３）。頭部下降ボタン（２６ａ、２６ｂ）、脚部下降ボタン（２８ａ、２８ｂ）を押すこと（ステップ２０２）で電動アクチュエーター（４）が下動作を行う（ステップ２０４）。危険回避制御モードに関しては、図１１のフローチャートを参照しながら説明する。ここでは、頭部上昇ボタン（２５ａ、２５ｂ）及び頭部下降ボタン（２６ａ、２６ｂ）または脚部上昇ボタン（２７ａ、２７ｂ）及び脚部下降ボタン（２８ａ、２８ｂ）を同時に３秒間以上押し続けて危険回避制御モードを解除するもので、ステップ３０１で危険回避制御モードが解除されたかどうかを判別し、解除をしている場合、通常制御モードに移行する（ステップ３０５）。危険回避制御モードが解除していない場合、電動アクチュエーター（４）が下動作中の場合は、電動アクチュエーター（４）を３秒間逆動作すると同時に警告音としてブザー（２１）を鳴らす。危険回避制御モードが解除していない場合、頭部下降ボタン（２６ａ、２６ｂ）または脚部下降ボタン（２８ａ、２８ｂ）を押している場合は、警告音としてブザー（２１）が鳴り続ける。危険回避制御モードが解除していない場合で、頭部上昇ボタン（２５ａ、２５ｂ）または脚部上昇ボタン（２７ａ、２７ｂ）、もしくは頭部上昇ボタン（２５ａ、２５ｂ）及び脚部上昇ボタン（２７ａ、２７ｂ）を押している場合は、電動アクチュエーター（４）が上動作を行う。なお本実施例では、危険回避制御モードの解除に関しては、頭部上昇ボタン（２５ａ、２５ｂ）及び頭部下降ボタン（２６ａ、２６ｂ）または脚部上昇ボタン（２７ａ、２７ｂ）及び脚部下降ボタン（２８ａ、２８ｂ）を同時に３秒間以上押し続けて危険回避制御モードを解除しているが、危険回避制御モード解除ボタンを設ける等、他の方法でも構わない。
【実施例２】
【００１６】
本実施例２は  図１３で示されるように、周囲と温度差のある物体の移動量の変化を感知する図２のような焦電センサ（７ａ）を４個使用しており、分離型樹脂ケース（１５ａ、１５ｂ、１５ｃ、１５ｄ）に１個ずつ各焦電センサ（７ａ、７ｂ、７ｃ、７ｄ）を嵌入固定し、焦電センサ用配線コード（２３ａ、２３ｂ、２３ｃ、２３ｄ）により、危険回避制御ユニット（１）と接続されている。また電動ギャッジベッド用リモコン（２０）は電動ギャッジベッド用リモコン用配線コード（２４）により、危険回避制御ユニット（１）と接続されている。該電動ギャッジベッドの挟み込み防止装置として使用している焦電センサ（７ａ）の検出可能範囲は水平・垂直方向ともに検出範囲が９１°であり、また検出範囲は最大で２ｍ程度のものを使用している。該焦電センサ（７ａ）の感知角度を図１４に示すように定格感知範囲（３０）を遮り、制御感知範囲（２９）まで縮小させるため、焦電センサ（７ａ）を焦電センサ首部（９ａ）の傾斜に沿うように図４のような上方が開口した焦電センサ取付専用ケース本体（１１ａ）に挿入したものを、焦電センサ取付専用ケース本体（１１ａ）の側面に付いた爪部（１２ａ、１２ｂ）により、図１４のように焦電センサ取付専用ケース本体受け部（１３ａ、１３ｂ）まで嵌入固定する。図１５のような両端が開口した台形形状の分離型樹脂ケース（１５ａ）の長辺側は焦電センサ（７ａ）の感知角度がベッドフレーム（２２）の外側を感知しないように、且つ分離型樹脂ケース（１５ａ）の短辺側は身体の挟み込みの危険性があるベッドフレーム（２２）の内側を感知させる為、焦電センサ（７ａ）の感知角度を遮らないように各焦電センサ（７ａ、７ｂ、７ｃ、７ｄ）を焦電センサ取付専用ケース本体受け部（１３ａ、１３ｂ）まで嵌入固定する。焦電センサ（７ａ）を設置した分離型焦電センサ部（１７ａ）を身体の挟み込みの危険性があるベッドフレーム（２２）の内側のみを感知する為、ベッドフレーム（２２）の長手方向中央部に台形形状の分離型樹脂ケース（１５ａ、１５ｂ、１５ｃ、１５ｄ）をそれぞれ中央部焦電センサ取付土台（１８ａ、１８ｂ）に台形形状の分離型樹脂ケース（１５ａ、１５ｂ、１５ｃ、１５ｄ）の下面を固定し、図１６のように電動ギャッジベッド用フレーム（５）に設置固定する。設置固定は両面テープで固定したものであるが、ビス等による如何なる固定方法でも構わない。図１６のように設置固定することで、図１７のように身体の挟み込み危険領域を適切に感知することが可能で、床部（６）を起伏状態から回動下降させる際に、身体が挟み込み危険領域に入り込んだ時点で、該焦電センサ（７ａ、７ｂ、７ｃ、７ｄ）が周囲と温度差のある身体の移動量の変化を感知することを可能としている。また実施例１で示したセンサを内蔵しているケースが一体型ではなく、分離型の為、ベッドフレーム（２２）の構造によっては一体型のものが取り付けることが困難な場合等においても、分離型にすることで個々本体が小さい為、設置箇所を選ばずに取り付けることが可能であるという利点がある。
【実施例３】
【００１７】
本実施例３は図１８で示されるように、周囲と温度差のある物体の移動量の変化を感知する図２のような焦電センサ（７ａ）を２個使用しており、分離型樹脂ケース（１５ａ、１５ｂ）に１個ずつ各焦電センサ（７ａ、７ｂ）を嵌入固定し、焦電センサ用配線コード（２３ａ、２３ｂ）により、危険回避制御ユニット（１）と接続されている。また電動ギャッジベッド用リモコン（２０）は電動ギャッジベッド用リモコン用配線コード（２４）により、危険回避制御ユニット（１）と接続されている。該電動ギャッジベッドの挟み込み防止装置として使用している焦電センサ（７ａ）の検出可能範囲は水平・垂直方向ともに検出範囲が９１°であり、また検出範囲は最大で２ｍ程度のものを使用している。該焦電センサ（７ａ）の感知角度を図１９に示すように、焦電センサ（７ａ）を焦電センサ首部（９ａ）の傾斜に沿うように図４のような上方が開口した焦電センサ取付専用ケース本体（１１ａ）に挿入したものを、焦電センサ取付専用ケース本体（１１ａ）の側面に付いた爪部（１２ａ、１２ｂ）により、図１９のように焦電センサ取付専用ケース本体受け部（１３ａ、１３ｂ）まで嵌入固定する。図１５のように、両端が開口した台形形状の分離型樹脂ケース（１５ａ）の長辺側は焦電センサ（７ａ）の感知角度がベッドフレーム（２２）の外側を感知しないように、且つ分離型樹脂ケース（１５ａ）の短辺側は身体の挟み込みの危険性があるベッドフレーム（２２）の内側を感知する為、焦電センサ（７ａ）の感知角度を遮らないような位置に各焦電センサ（７ａ、７ｂ）を焦電センサ取付専用ケース本体受け部（１３ａ、１３ｂ）まで嵌入固定する。焦電センサ（７ａ）を設置した分離型焦電センサ部（１７ａ）を身体の挟み込みの危険性があるベッドフレーム（２２）の内側のみを感知する為、図１９のようにベッドフレーム（２２）の対角線上に台形形状の分離型樹脂ケース（１５ａ、１５ｂ）をそれぞれコーナー部焦電センサ取付土台（１９ａ、１９ｂ）に台形形状の分離型樹脂ケース（１５ａ、１５ｂ）の下面を固定し、図２０のようにベッドフレーム（２２）のコーナー部に設置固定する。設置固定は両面テープで固定したものであるが、ビス等による如何なる固定方法でも構わない。図２０のように設置固定することで、図２１のように身体の挟み込み危険領域を適切に感知することが可能で、床部（６）を起伏状態から回動下降させる際に、身体が挟み込み危険領域に入り込んだ時点で、該焦電センサ（７ａ、７ｂ）が周囲と温度差のある身体の移動量の変化を感知することを可能としている。またコーナー部に取り付けることにより、ベッドフレーム（２２）内のほぼ全ての範囲を感知することが可能で、実施例２のように分離型の為、ベッドフレーム（２２）の構造によっては実施例１のような一体型のものが取り付けることが困難な場合等においても、分離型にすることで個々本体が小さい為、設置箇所を選ばずに取り付けることが可能であるという利点がある。焦電センサ（７ａ、７ｂ）の個数が２個と少ないことにより、コスト負担も少なくなり経済的である。
【産業上の利用可能性】
【００１８】
本発明の電動ギャッジベッドの挟み込み防止装置は主として電動ギャッジベッドに使用するものであるが、電動ギャッジソファベッド用の挟み込み防止装置としても同様に適用することができる。
【符号の説明】
【００１９】
１：危険回避制御ユニット
２：電動モーター
３：本体
４：電動アクチュエーター
５：電動ギャッジベッド用フレーム
６：床部
７ａ、７ｂ、７ｃ、７ｄ：焦電センサ
８ａ、８ｂ、８ｃ、８ｄ：焦電センサ頭部
９ａ、９ｂ、９ｃ、９ｄ：焦電センサ首部
１０ａ、１０ｂ、１０ｃ、１０ｄ：焦電センサ取付専用ケース
１１ａ、１１ｂ、１１ｃ、１１ｄ：焦電センサ取付専用ケース本体
１２ａ、１２ｂ：爪部
１３ａ、１３ｂ：焦電センサ取付専用ケース本体受け部
１４ａ、１４ｂ：一体型樹脂ケース
１５ａ、１５ｂ、１５ｃ、１５ｄ：分離型樹脂ケース
１６ａ、１６ｂ：一体型焦電センサ部
１７ａ、１７ｂ、１７ｃ、１７ｄ：分離型焦電センサ部
１８ａ、１８ｂ：中央部焦電センサ取付土台
１９ａ、１９ｂ：コーナー部焦電センサ取付土台
２０：電動ギャッジベッド用リモコン
２１：ブザー
２２：ベッドフレーム
２３ａ、２３ｂ、２３ｃ、２３ｄ：焦電センサ用配線コード
２４：電動ギャッジベッド用リモコン用配線コード
２５ａ、２５ｂ：頭部上昇ボタン
２６ａ、２６ｂ：頭部下降ボタン
２７ａ、２７ｂ：脚部上昇ボタン
２８ａ、２８ｂ：脚部下降ボタン
２９：制御感知範囲
３０：定格感知範囲
【図１】
0005477902.tif 000002
【図２】
0005477902.tif 000003
【図３】
0005477902.tif 000004
【図４】
0005477902.tif 000005
【図５】
0005477902.tif 000006
【図６】
0005477902.tif 000007
【図７】
0005477902.tif 000008
【図８】
0005477902.tif 000009
【図９】
0005477902.tif 000010
【図１０】
0005477902.tif 000011
【図１１】
0005477902.tif 000012
【図１２】
0005477902.tif 000013
【図１３】
0005477902.tif 000014
【図１４】
0005477902.tif 000015
【図１５】
0005477902.tif 000016
【図１６】
0005477902.tif 000017
【図１７】
0005477902.tif 000018
【図１８】
0005477902.tif 000019
【図１９】
0005477902.tif 000020
【図２０】
0005477902.tif 000021
【図２１】
0005477902.tif 000022